(57)【要約】【課題】本発明は、着座者の体型や着座の向きに拘らず、第三者が着座者の身体の洗浄や垢すりを容易に、安全に、かつ効率よく行うことのできる浴用椅子を提供することを課題とする。【解決手段】本発明の浴用椅子は、座部１と、この座部の一側方向の上方に設けられ、着座者の背又は胸に当接して、背或いは胸を向けて着座したいずれの着座者の上体をも支持する上体支持部２と、を備える椅子であって、この上体支持部２は、着座者の上体に当接する当接位置における当接形状を可変させる当接形状可変機構２１を有することを特徴としている。【選択図】  図１
2005087441.tif 000002
【特許請求の範囲】
【請求項１】
座部と、この座部の一側方向の上方に設けられ、着座者の背又は胸に当接して、背或いは胸を向けて着座したいずれの着座者の上体をも支持する上体支持部と、を備える椅子であって、この上体支持部は、着座者の上体に当接する当接位置における当接形状を可変させる当接形状可変機構を有することを特徴とする浴用椅子。
【請求項２】
当接形状可変機構は、複数の当接面のそれぞれを単独で又は組み合わせて、着座者の上体に当接する当接位置へ配設することで当接形状を形成する請求項１記載の浴用椅子。
【請求項３】
当接形状可変機構は、互いに形状の異なる複数の当接面を回動軸周りに外向きに設けて成る回動体と、この回動体を前記回動軸周りに回動させて複数の当接面のそれぞれを、着座者の上体に当接する当接位置へ配設するように切り替える当接面切り替え手段と、からなる請求項１又は２記載の浴用椅子。
【請求項４】
上体支持部は、前記当接形状可変機構の両側部の前後方向に、少なくとも胸を向けて着座した場合に両肘を置く肘置き部を有する請求項１ないし３のいずれか記載の浴用椅子。
【発明の詳細な説明】
【技術分野】
【０００１】
本発明は、浴室等の洗い場において、他者が着座者を洗浄或いは垢すりする際に用いられる浴用椅子に関する。
【背景技術】
【０００２】
洗浄や垢すりを行う浴用椅子として、従来、脚付きの座部のみからなるものがあった（例えば、特許文献１参照）。
【０００３】
前記従来の座部のみからなる浴用椅子は、構造が簡易で軽量なことから、洗浄や垢すりを行う洗い場での取扱いが容易であった。しかし、着座者の上体を支持しないため姿勢が不安定になり、例えば老人や身体の一部が不自由な人等が着座者の場合に、第三者が洗浄や垢すりを行うのは困難であった。
【０００４】
他に、従来、第三者が着座者を施療するための椅子型の器具として、前向き又は後向きに腰掛ける座１０を設け、この座１０の前方に当て板２０を傾斜させて設けた理学療法用の治療用具があった（例えば、特許文献２、および図９参照）。これは、当て板２０に胸又は背を当てて、前向き又は後向きの、いずれの着座者の上体をも支持できるようにするものである。また、図９に示すように、当て板２０は傾斜角度、大きさ及び形状が固定され、座１０にも傾斜が設けられていた。
【０００５】
しかし、前記治療用具の着座者は、体重の多くを当て板２０に預けるため、着座者の重心位置が偏るものであった。特に、着座者の上体及び下肢は、それぞれ座１０及び当て板２０によって支持拘束され、常に傾斜した一定の角度に固定される。このため、着座者の体型や着座の向きによっては、大きな重心位置の偏りが生じうる。このような重心位置の偏りは、洗浄や垢すりを行うような、水を用いることによる滑りやすい状況では、着座者の姿勢が不安定となり危険であった。
【０００６】
また、前記治療用具に背を向けて座る場合には、体重の多くを預けるための比較的大きな当て板２０が必要である。その一方で、例えば比較的小柄な人や胸の大きな人等が胸を向けて座る場合には、前記背を向けて座る場合に必要な大きな当て板２０やその支持構造は、洗浄等の邪魔であった。このため、着座者の体型や着座の向きによっては、洗浄や垢すりを効率よく行うことが困難であった。
【特許文献１】特開２００２−３１５７８５号公報
【特許文献２】特開平５−１７６９６４号公報
【発明の開示】
【発明が解決しようとする課題】
【０００７】
そこで、本発明は、着座者の体型や着座の向きに拘らず、第三者が着座者の身体の洗浄や垢すりを容易に、安全に、かつ効率よく行うことのできる浴用椅子を提供することを課題とする。
【課題を解決するための手段】
【０００８】
上記課題を解決するため、本発明は以下の構成としている。
【０００９】
即ち、本発明の浴用椅子は、座部１と、この座部１の一側方向の上方に設けられ、着座者の背又は胸に当接して、背或いは胸を向けて着座したいずれの着座者の上体をも支持する上体支持部２と、を備える椅子であって、この上体支持部２は、着座者の上体に当接する当接位置における当接形状を可変させる当接形状可変機構２１を有することを特徴としている。
【００１０】
このようなものであれば、上体支持部２に背或いは胸を向ける２通りの方向の着座によって、広範で容易な洗浄等をすることができる。
【００１１】
また、座部１の一側方向の上方に設けられた上体支持部２が、着座者の極端な重心移動を制限し、着座者の重心位置を座部１の近辺に確保することができる。よって着座者はバランスを崩しにくく、水を用いて滑りやすい状況においても安全に洗浄等をすることができる。
【００１２】
また、前記各着座の方向の相違の他、着座者の体型の相違によって、当接位置における当接形状を、確実に支持固定することができる形状へ可変させる。これにより、各着座の方向或いは着座者の体型に拘らず、安全で容易な洗浄等をすることができる。
【００１３】
更に、本発明の浴用椅子は、前記当接形状可変機構２１が、複数の当接面ｆｓのそれぞれを単独で又は組み合わせて、着座者の上体に当接する当接位置へ配設することで当接形状を形成するものとしてもよい。
【００１４】
このような当接形状可変機構２１であれば、複数の当接面ｆｓから任意の当接面ｆｓを選択し或いは組み合わせて配設することで、当接位置における様々な当接形状を構成することができる。これにより、着座方向や着座者の体型の細かな相違に適格に対応した当接形状とすることができ、洗浄や垢すりを、より容易に、安全に、かつ効率よく行うことのできる浴用椅子となる。
【００１５】
更に、本発明の浴用椅子は、前記当接形状可変機構２１が、互いに形状の異なる複数の当接面ｆｓを回動軸周りに外向きに設けて成る回動体２１１と、この回動体２１１を前記回動軸周りに回動させて複数の当接面ｆｓのそれぞれを、着座者の上体に当接する当接位置へ配設するように切り替える当接面切り替え手段と、からなるものとしてもよい。
【００１６】
このように回動体２１１による当接面切り替え手段とすることで、各当接面ｆｓを配した回動体２１１という、比較的簡易な構成によって当接形状を可変させることができ、強度や操作性に優れた当接形状可変機構２１を得ることが可能となる。
【００１７】
更に、本発明の浴用椅子は、前記上体支持部２が、前記当接形状可変機構２１の両側部の前後方向に、少なくとも胸を向けて着座した場合に両肘を置く肘置き部２２を有するものとしてもよい。
【００１８】
このようなものであれば、肘置き部２２によって、上肢を含む着座者の上体を安定させることができる。また特に、胸を向けて着座した場合は上体支持部２に前傾する姿勢となるため、肘置き部２２においた肘により上体を支えることで、より上体が安定する。これにより、着座者及び洗浄する第三者にとって、腋から上腕にかけての洗浄等が容易となる。
【発明の効果】
【００１９】
上記構成としたことにより、本発明の浴用椅子は、着座者の体型や着座の向きに拘らず、第三者が着座者の身体の洗浄や垢すりを容易に、安全に、かつ効率よく行うことができる。
【発明を実施するための最良の形態】
【００２０】
本発明を実施するための最良の形態のうち、実施例１（図１〜６）、実施例２（図７）、実施例３（図８）及び実施例４（図示せず）について各図面と共に説明する。図１、図２は実施例１の平面図及び正面図を、図３は同背面図を示す。図４は複数の実施例１の浴用椅子を互いに重ねてネスティングした状態を示す平面図であり、図５は実施例１の浴用椅子に着座者の胸を当てて着座する状態例を、図６は実施例１の浴用椅子に着座者の背を当てて着座する状態例を、それぞれ示す側面図である。図７は実施例２の浴用椅子に着座者の胸を当てて着座する状態例を示す側面図であり、図８は実施例３の平面図である。尚、図９は前記従来の理学療法の治療用具の斜視図である。
【００２１】
いずれの実施例も、本発明の浴用椅子は、着座者が座る座部１と、着座者の上体を支持する上体支持部２と、を具備する。
【００２２】
座部１は、着座面である座面１１と、この座面１１及び上体支持部２を支える脚１２と、を有する。そして、上体支持部２は、少なくとも着座者の上体に当接する当接形状を可変させる当接形状可変機構２１を有する。
【００２３】
尚、いずれの実施例も、水を用いた浴用椅子として用いるために、耐水性に優れた材質を用いる。
【実施例１】
【００２４】
実施例１の浴用椅子は、少なくとも前後いずれの方向にも着座できる座部１と、この座部１の一側方向の上方に設けられ、着座者の背又は胸に当接して、背或いは胸を向けて着座したいずれの着座者の上体をも支持する上体支持部２と、を備える。
【００２５】
尚、本明細書における前或いは前方向とは、座部１から見て、上体支持部２の方向（図１の下方向）を言い、後或いは後方向とは、座部１から見て、上体支持部２と反対の方向（図１の上方向）を言う。また、座部１の一側方向とは、座部１の平面視中央から見た平面視周囲方向のうち一の方向を言う。
【００２６】
座部１は、着座面である座面１１と、この座面１１及び上体支持部２を支える脚１２と、座面１１を回動させる座面回動手段１３と、を有する。また、座部１は、図２、図３のように正面視及び背面視対称形状であると共に、図５、図６に示すように、側面視対称形状であり、特に鉛直軸に対して対称形状である。
【００２７】
座面１１は、図１に示すように平面視円形状であり、平面視中央付近に座面１１上の水を落として抜くための略円形の中央孔１１ｈと、平面視一端部に平面視略Ｕ字形状の端部切欠き１１ｄと、を有する。ここで平面視一端部とは、座面１１の平面視中央から見て平面視周縁の一部分の端部を言う。また、座面１１の「面」とは、平面だけでなく、曲面、及び平面と曲面とが組み合わされた面のいずれも含む。
【００２８】
また、座面１１は、座部１の座面回動手段１３によって、平面視中央付近を中心として左右方向に平面回動可能であり、端部切欠き１１ｄを、座面１１の平面視中央からみて任意の方向に向けることができる。また座面１１は、中央孔１１ｈや端部切欠き１１ｄに向けて下方へ緩斜し、座面１１上に水が溜まりにくいものとしている。
【００２９】
中央孔１１ｈは、座面１１の緩斜と相俟って、座面１１の平面視中央付近から座面１１上の水を抜くと共に着座を安定させ、より安全な洗浄を可能とする。また着座者の肛門付近に位置することで洗浄中の着座者の排便も可能とする。
【００３０】
端部切欠き１１ｄは、座面１１の平面視一端部付近から座面１１上の水を抜くと共に、座部１の座面回動手段１３と相俟って、常に着座者の身体の前方に位置するようにして洗浄を容易なものとする。
【００３１】
すなわち、胸を向けて着座する場合は、図５のように端部切欠き１１ｄが上体支持部２に近づく方向（前方）へと座面１を平面回動させる。また、背を向けて着座する場合は、図６のように端部切欠き１１ｄが上体支持部２から離れる方向（後方）へと座面１を平面回動させる。これにより、着座方向に拘らず着座者の陰部の洗浄を容易とする。また洗浄中の着座者の排尿も可能とする。
【００３２】
脚１２は、前後に亘ってループした中空金属パイプからなるループ脚を、左右対称に設けてなり、このループ脚の前後の縦立部分にて、それぞれ上体支持部２及び座面１１を支えている。脚１２をループ脚とすることで、簡易な構成にかかわらず軽量であるとともに強度性に優れたものとしている。また、左右対称に設けたループ脚の距離を上体支持部２の方向に拡大させて、座部１の前後で異なるものとしている。これにより、ループ脚の接地部分は、図１に示すように、平面視にてハの字を描く。更に、左右対称に設けたループ脚の距離を下方すなわち接地方向に拡大させて、ループ脚の上下で異なるものとしている。これにより、ループ脚の縦立部分は、図２、図３に示すように、正面視にてハの字を描く。
【００３３】
更に、脚１２たるループ脚には、四隅の接地部分に滑り止め１２ｃたる合成樹脂板を固定して、水場での使用による滑りを防止して安全性を高めている。この合成樹脂板は、例えば天然或いは合成ゴムを配合することにより、衝撃を吸収するものであることが好ましい。
【００３４】
また、脚１２たるループ脚には、一方の縦立部分の上方付近に、ループ脚を斜めに持ち上げるための持ち手１２ｇを設けると共に、他方の縦立部分の下方付近に、座を持ち上げたときにのみ接地する左右一対のキャスター１２ｗを設けている。
【００３５】
持ち手１２ｇは、左右それぞれのループ脚の、前方の縦立部分たる、上体支持部２を支える側の縦立部分において、上方付近にて左右のループ脚を亘るように固定される（図２）。持ち手１２ｇによって、ループ脚の前方たる、上体支持部２を支える縦立部分のみを浮かせて、容易に持ち上げることができる。
【００３６】
キャスター１２ｗは、左右それぞれのループ脚の、後方の縦立部分たる、座部１を支える側の縦立部分において、下方たる接地部分付近にて支軸が斜方向を向き車輪が浮いた状態で、左右１輪ずつ固定される。前述の持ち手１２ｇによって、ループ脚の前方を浮かせて斜めに持ち上げた際に、ループ脚の後方のキャスター１２ｗが接地するものとしている。
【００３７】
座面回動手段１３は、嵌合構造により座面１１を鉛直軸廻りに回動させるものである。座面回動手段１３により座面１１を回動させることで、着座したまま着座の向きを容易に変えることができる。これにより、身体の洗浄を効率よく行うことができる。
【００３８】
そして、上体支持部２は、前記座部１の一側方向の上方の当接位置において、背を向けて着座した場合の着座者の背に当接すると共に、胸を向けて着座した場合の着座者の胸に当接して、いずれの着座の方向においても、着座者の上体を支持するものである。この上体支持部２は、前記当接位置に設けられた、着座者の上体と当接する当接形状を可変させる当接形状可変機構２１と、この当接形状可変機構２１の両側部から前後方向に設けられた、着座者の肘を置く肘置き部２２と、を有する。
【００３９】
当接位置は、座部１の一側方向からさらに上方たる、座部１の平面偏心位置の上方における、着座者の上体と上体支持部２の当接面ｆｓとが当接する位置である。ここで、座部１の一側方向とは、座部１の平面視中央から見た平面視周囲方向のうち一の方向を言う。
【００４０】
着座した状態で上体を後方へ動かすと身体全体のバランスを崩しやすいため、本実施例では以下に示すように、背を向けて着座した場合には、着座者の肩甲骨中央付近に相当するような、比較的高い位置を当接位置としている（図６）。
【００４１】
また本実施例では以下に示すように、胸を向けて着座した場合には、着座者に圧迫感を与えないように、比較的低い位置を当接位置としている（図５）。特に、胸の比較的大きな人や小柄で座高の比較的低い人の胸骨下端付近に相当するような位置としている。
【００４２】
当接形状は、前記当接位置において、上体支持部２が着座者の上体と当接する部分の形状である。実施例１では、複数の当接面ｆｓのうち、選択されて当接位置に配設された一の当接面ｆｓが、当接形状を形成する。
【００４３】
ここで、本発明における当接面ｆｓの「面」とは、平面だけでなく、曲面、及び平面と曲面とが組み合わされた面のいずれも含む。
【００４４】
本発明の上体支持部２による上体の支持機能は、身体の洗浄や垢すりのための支持をするものであり、強い押圧等の理学療法の施療のための支持（例えば図９の治療用具のような支持機能による支持）をするものではない。このため、大きな当接形状（ないし当接面ｆｓ）による、強固な固定は不要である。むしろ大きな当接形状では、例えば着座者が小柄な場合等には、身体を細かく動かして洗浄する際に邪魔となる。このため、本実施例では、以下に示すように第三者が着座者を洗浄等するのに適した当接形状としている。
【００４５】
また一方で、身体の洗浄や垢すりには水を用いるため、安全上、滑らないように安定して支持する当接形状としている。
【００４６】
しかして、当接形状可変機構２１は、この当接位置における当接形状を可変させるものである。より具体的には、当接形状可変機構２１は、第一、第二、・・・の複数の各当接面ｆｓの位置及び角度を調節して、それぞれを単独で、或いは一の当接面ｆｓを単独で及びこの一の当接面ｆｓに他の当接面ｆｓを組み合わせた複数で、着座者の上体に当接する当接位置へ配設する。これにより、第一、第二、・・・のうち一の当接面ｆｓで、又は複数の当接面ｆｓを組み合わせた全体で、当接形状を形成する。
【００４７】
本実施例における構成を詳述するに、当接形状可変機構２１は、互いに形状の異なる複数の当接面ｆｓたる、第一、第二当接面ｆｓ１、ｆｓ２と、これら第一、第二当接面ｆｓ１、ｆｓ２を回動軸周りに外向きに保持して成る回動体２１１と、この回動体２１１の回動角度を調節し任意の角度に固定する角度調節手段２１２と、からなる。
【００４８】
そして、第一、第二当接面ｆｓ１、ｆｓ２を固定した回動体２１１を回動軸周りに回動させて、回動角度調節手段２１２により回動角度を調節することで、第一、第二当接面ｆｓ１、ｆｓ２のいずれかを、単独で当接位置へ配設するものである。第一、第二当接面ｆｓ１、ｆｓ２のいずれかを単独で任意の角度として配設することで、当接形状を、第一、第二当接面ｆｓ１、ｆｓ２それぞれの形状へと切り替えて可変させている。
【００４９】
回動体２１１は、互いに形状の異なる複数の第一、第二当接面ｆｓ１、ｆｓ２を保持して、左右方向略水平の回動軸周りに回動する。互いに形状の異なる第一、第二の各当接面ｆｓ１、ｆｓ２は、それぞれ着座者の胸及び背を当てる面であり、回動体２１１の略水平方向の回動軸周りに外向きに連設される。
【００５０】
ここで、本発明における「水平」とは、厳密に水平であることを意味するものでなく、本発明の実施例の作用効果を奏する程度の範囲内で判断されるものを含む。
【００５１】
より具体的には、回動体２１１は、比較的小さい横長偏平形状の第一当接面ｆｓ１を有する第一板状部と、この第一当接面ｆｓ１の上縁から連設した、比較的大きい縦長偏平形状の第二当接面ｆｓ２を有する第二板状部とを、左右略水平方向の回動軸周りに外向きに折曲させて成る。つまり、第一当接面ｆｓ１の上部に、第二当接面ｆｓ２を、鈍角を形成するように角度を変えて連接しており、各当接面ｆｓ（ｆｓ１、ｆｓ２）同士を、第一板状部及び第二板状部によって一体として構成している。
【００５２】
ここで、本発明における当接面ｆｓ（ｆｓ１、ｆｓ２）の「面」とは、平面だけでなく、曲面、及び平面と曲面とが組み合わされた面のいずれも含む。
【００５３】
角度調節手段２１２は、回動体２１１の角度を調節して、当接面ｆｓを任意の角度に固定するものである。この角度調節手段２１２を設けることで、角度を調節固定した当接形状に当接する上体を、より安全且つ確実に保持することが可能となる。実施例では、回動体２１１の第二当接面ｆｓ２を有する第二板状部の裏側（第二当接面ｆｓ２と反対側）の中央付近に、第二板状部を支保して第二当接面ｆｓ２の角度を固定するループ状の支保脚を吊設し、この支保脚の下端を任意の位置に着脱可能に止める止め具を、回動体２１１の回動軸の前方付近に略水平に固定している。そして、支保脚の下端を止め具の任意の位置に止めることで、第二当接面ｆｓ２の角度を調節して固定することができる。
【００５４】
肘置き部２２は、前記当接形状可変機構２１の両側部に左右一対、前後方向に略水平に張り出して上体支持部２に設けられる。これは、少なくとも胸を向けて着座した場合、好ましくは、胸或いは背を向けて着座したいずれの場合も着座者の両肘を置くものである。
【００５５】
実施例１の肘置き部２２は、着座者の前後方向に略水平移動可能としている。肘置き部２２を着座者の姿勢に応じて略水平移動させ、体型や着座の方向に適した位置とすることができる。具体的には、肘置き部２２を、当接形状可変機構２１の両側部から前後方向に張り出すとともに、張り出した前後方向のいずれかの一端部付近を鉛直軸としてそれぞれ略水平回動可能に有するものとしている（図１の二点鎖線参照）。このような肘置き部２２の構造によって、簡易な構造による強度及び操作性に優れた略水平移動が可能になる。
【００５６】
上記構成の浴用椅子は、例えば以下のように使用する。
【００５７】
胸を当てて着座する場合、回動体２１１の下方の第一当接面ｆｓ１を当接形状とすれば、その当接位置は着座者の胸骨の下端付近の、比較的低い位置となる（図５）。
【００５８】
この当接位置及び、比較的小さい横長偏平という第一当接面ｆｓ１の当接形状によって、当接面ｆｓ及び上体支持部２が邪魔とならず、また着座者へ圧迫感を与えず、効率的に洗浄等しうるものとなる。更に横長偏平形状であるから、洗浄等の差異の、左右の細かな体重移動に拘らず上体を左右方向に安定させるよう、支持することができる。このような使用は、例えば小柄な人、胸の比較的大きい人等に適する。
【００５９】
背を当てて着座する場合、回動体２１１の上方の第二当接面ｆｓ２を当接形状とすれば、その当接位置は着座者の肩甲骨の中央付近の、比較的高い位置となる（図６）。この当接位置は、第一当接面ｆｓ１の上縁から第二当接面ｆｓ２を連設したことによるものである。
【００６０】
この当接位置及び、比較的大きい縦長扁平という第二当接面ｆｓ２の当接形状によって、上体を確実に支持して身体の重心が後方へ移動することを確実に防止し、バランスを崩しにくい安全な洗浄等が可能となる。ひいては、身体が安定することで、効率的に洗浄等しうるものとなる。また着座者の目の届かない背部にて、比較的大きい当接面ｆｓ２で支持することで、着座者へ安心感を与えるものとなる。
【００６１】
また、胸を当てて着座する場合にも、例えば比較的大柄な人が着座する場合等、必要に応じてこの第二当接面ｆｓ２を当接形状とすることで、着座者の上体をより安定させて、また着座者へ圧迫感を与えることなく、効率的に洗浄等しうるものとなる（実施例２の使用状態を示す図７と同様の状態）。
【００６２】
上記構成により、本実施例は以下の作用効果をも有する。即ち、本実施例では、座部１が側面視対称形状であるから、着座の向きに拘らず、着座者の重心位置を座部１の近辺に確保することができる。このようなものであれば、座部１に多くの体重を残して、上体支持部２に多くの体重を預けることなく座ることとなる。これにより、着座者の身体が安定し、滑りやすい水場での洗浄時の安全性が高まる。特に、上体支持部２による、着座者の重心移動を制限し座部１から重心が大きく外れないようにする作用と相俟って、着座者の重心位置を、座部１の平面視形状内に確保することができる。またこれにより、上体支持部２は、上体を支えるための比較的強固な支持構造が不要となり、軽量かつ簡易な構造にて形成されうるため、身体の洗浄等の際だけでなく、保管、移動及び器具洗浄の際にも取扱いが容易なものとなる。
【００６３】
また本実施例では、脚１２たるループ脚の形状を、図１、図２に示す如く平面視及び正面視にてハの字を描くようにしていることで、ループ脚が着座者の足と接触しにくく、胸を向けて着座した場合にも邪魔にならない。これにより着座者は、自然な姿勢のまま足にも自由に体重をかけることができるため、身体をより安定させることができる。また、脚１２たるループ脚がハの字を描くようにしていることで、図４に示すように、本発明の浴用椅子を複数脚（図４では３脚）重ねて、ネスティング可能としている。これにより、コンパクトな形態として保管することができる。
【００６４】
さらに、持ち手１２ｇを持ってループ脚を斜めに持ち上げることで、キャスター１２ｗが接地する。このため、持ち手１２ｇを持ちながらキャスター１２ｗによる容易な移動が可能となり、本発明の浴用椅子を全部持ち上げることなく移動させることで、洗い場での取扱いが容易なものとなる。
【００６５】
また本実施例では、互いに形状の異なる複数の当接面ｆｓから任意の形状の当接面ｆｓを選択し、この選択した当接面ｆｓが当接形状となるように切り替えて配設することで、より効率的に当接形状を形成することができる。また、各当接面ｆｓ同士を一体として構成することで、強度に優れた当接形状の上体支持部２となり、安全性が向上する。
【００６６】
また本実施例では、回動体２１１による当接面切り替え手段とすることで、各当接面ｆｓを配した簡易な回動体２１１の構成により容易に当接形状を可変することができ、強度や操作性に優れた当接形状可変機構２１を得ることができる。
【００６７】
また本実施例では、形状の異なる各当接面ｆｓ１、ｆｓ２を左右方向略水平の回動軸周りに設けることで、当接面ｆｓ１、ｆｓ２の傾斜角を、それぞれ任意のものに調節することができ、着座者の上体の傾斜具合に応じてより細かく的確に対応する当接形状を得ることができる。
【実施例２】
【００６８】
実施例２は、実施例１の基本的構成において、上体支持部２の回動体２１１に、少なくとも胸を当てて着座した着座者の顎を置く顎置き部２３を設け、かつ座部１のループ脚に、少なくとも胸を当てて着座した着座者の膝を当てる膝当て部１４を設けたものである。
【００６９】
すなわち、実施例２において、上体支持部２は、前記当接位置に設けられた、着座者の上体と当接する当接形状を可変させる当接形状可変機構２１と、この当接形状可変機構２１の両側部から前後方向に設けられた、着座者の肘を置く肘置き部２２と、当接形状可変機構２１の中央上部から突出して着脱可能に設けられた、着座者の顎を置く顎置き部２３と、を有する。
【００７０】
また座部１は、着座面である座面１１と、この座面１１及び上体支持部２を支える脚１２と、この脚１２の下方両側に設けられた、着座者の膝を当てる膝当て部１４と、を有する。
【００７１】
顎置き部２３は、胸を当てて着座した着座者の顎を置き、頭部を安定させることができるように、回動体２１１の前記第二当接面ｆｓ１、ｆｓ２の上辺中央からさらに上方に突出させるようにして着脱可能に設けたものである。着脱可能であるから、着座者の体格等に応じた長さ及び大きさの顎置き部２３と交換でき、また背を当てて着座する場合等、必要に応じて取り外すこともできる。
【００７２】
膝当て部１４は、胸を当てて着座した着座者の膝を当て、下肢を安定させることができるようにしたものであり、左右のループ脚を亘るようにして、傾斜板をループ脚の前方の縦立部分に着脱可能に設けたものである。着脱可能であるから、着座者の体格等に応じた大きさ及び形状の膝当て部１４と交換でき、また背を当てて着座する等の着座の方向に応じて取り外すこともできる。
【００７３】
これら顎置き部２３及び膝当て部１４を設けることで、各着座者の身体の各部位に適した支持ができ、また体重を分散させることができる。よって、身体をより確実に保持することができるとともに、軽量かつ簡易な構造によって取扱いの容易なものとしうる。
【００７４】
また、胸を当てて着座する場合にも、例えば比較的大柄な人が着座する場合等、必要に応じてこの第二当接面ｆｓ２を当接形状とすることで、着座者の上体をより安定させて、また着座者へ圧迫感を与えることなく、効率的に洗浄等しうるものとなる（図７）。他の構成は、実施例１と共通する。
【実施例３】
【００７５】
実施例３は、基本的に実施例１と同様の構成であり、座面１１と、脚１２と、回動体２１１と、肘置き部２２との構成が相違する（図８）。具体的には、実施例１と比して、座面１１は、実施例１の端部切欠き１１ｄを有さず、脚１２は、持ち手１２ｇおよびキャスター１２ｗを有さない。
【００７６】
すなわち、実施例３の座部１は、着座面である座面１１と、この座面１１及び上体支持部２を支える脚１２と、座面１１を回動させる座面回動手段１３と、を有する。この座面回動手段１３によって、座面１は、平面視中央付近を中心として左右周りに平面回転可能であり、着座者の身体の向きを、着座したままで任意の方向に向けることができる。
【００７７】
また、座面１１は、図１に示すように平面視円形状であり、平面視中央付近に座面１１上の水を落として抜くための略円形の中央孔１１ｈを有する。また座面１１は、中央孔１１ｈや端部切欠き１１ｄに向けて下方へ緩斜し、座面１１上に水が溜まりにくいものとしている。
【００７８】
実施例３の脚１２は、前後に亘ってループした中空金属パイプからなるループ脚を、左右対称に設けてなり、このループ脚の前後の縦立部分にて、それぞれ上体支持部２及び座面１１を支えている。また、脚１２たるループ脚には、四隅の接置部に滑り止め１２ｃたる合成樹脂板を固定している。
【００７９】
実施例３の回動体２１１は、第一当接面ｆｓ１と第二当接面ｆｓ２とが鈍角の固定連接角度で連接された一体形状からなる。この連接角度は、第一当接面ｆｓ１を当接形状としたときに第二当接面ｆｓ２が略水平面と成るような角度である。
【００８０】
肘置き部２２は、前記当接形状可変機構２１の一の側部から他の側部まで亘るように略水平に張り出して、一体的に設けられる。また、胸を向けて着座した場合に着座者の両肘を置く肘置き面を、略水平面として有するものである。
【００８１】
このようなものであれば、第一当接面ｆｓ１を当接形状とした状態において、第二当接面ｆｓ２と肘置き面とが、略水平の連続的な面を構成する。これにより肘置き面付近の体裁が良くなり、胸を当てて着座する場合に、前傾姿勢となる着座者に圧迫感を与えず、安心感を与えることができる。また略水平の肘置き面の左右側部に亘る左右連接箇所、或いは略水平の第二当接面ｆｓ２を、身体の洗浄等に用いる用具を置く、用具置き台とすることもできる。ひいては、身体の洗浄等を効率よく、安全に行うことができるものとなる。その他の構成は、実施例１と共通する。
【実施例４】
【００８２】
実施例４は、基本的に実施例１と同様の構成であり、当接形状可変機構２１の構成が相違する（図示せず）。
【００８３】
実施例４の当接形状可変機構２１は、互いに形状の異なる複数の当接面ｆｓと、これら複数のうち一の当接面ｆｓを単独で、及びこの一の当接面ｆｓに他の当接面ｆｓを組み合わせた複数で、それぞれ着座者の上体（すなわち胸腹部、及び背部）に当接する当接位置に配設する当接面配設手段と、からなる（図示せず）。
【００８４】
具体的には、当接位置にて所定の角度に固定された一の当接面ｆｓたる第一当接面ｆｓ１と、他の当接面ｆｓたる第二当接面ｆｓ２を有する連接体と、この連接体を第一当接面ｆｓ１の周囲に着脱可能に保持する連接体保持手段と、からなるものとすることもできる（図示せず）。
【００８５】
当接面保持手段が、第二当接面ｆｓ２を保持することで、第一当接面ｆｓ１と第二当接面ｆｓ２とをもって、比較的大きな当接形状を形成することができる。また、着脱可能に保持するので、第二当接面ｆｓ２を外すことで、第一当接面ｆｓ１のみをもって、比較的小さな当接形状を形成することができる。尚、第二当接面ｆｓ２が第一当接面ｆｓ１と連続的な面を形成することが好ましい。その他の構成は、実施例１と共通する。
【産業上の利用可能性】
【００８６】
本発明は、水を用いた、着座者の身体の洗浄や垢すりに用いるものであるが、その他、着座者の身体の保持を必要とする簡易マッサージや種々の治療等に利用することも可能である。
【図面の簡単な説明】
【００８７】
【図１】実施例１の浴用椅子の平面図である。
【図２】実施例１の浴用椅子の正面図である。
【図３】実施例１の浴用椅子の背面図である。
【図４】複数の実施例１の浴用椅子を互いに重ねてネスティングした状態を示す平面図である。
【図５】実施例１の浴用椅子に着座者の胸を当てて着座する状態例を示す側面説明図である。
【図６】実施例１の浴用椅子に着座者の背を当てて着座する状態例を示す側面説明図である。
【図７】実施例２の浴用椅子に着座者の胸を当てて着座する状態例を示す側面説明図である。
【図８】実施例３の浴用椅子の平面図である。
【図９】従来の理学療法の治療用具の斜視図である。
【符号の説明】
【００８８】
１  座部
２  上体支持部
２１  当接形状可変機構
２１１  回動体
２２  肘置き部
ｆｓ  当接面
【図１】
2005087441.tif 000003
【図２】
2005087441.tif 000004
【図３】
2005087441.tif 000005
【図４】
2005087441.tif 000006
【図５】
2005087441.tif 000007
【図６】
2005087441.tif 000008
【図７】
2005087441.tif 000009
【図８】
2005087441.tif 000010
【図９】
2005087441.tif 000011